(57)【特許請求の範囲】
【請求項１】
金型を備える回転体と、その回転体を回転可能に支持する支持体と、前記回転体と前記支持体に渡って形成される温調液路とを有し、前記温調液路に温調液を流すことで前記金型を温度調整するロータリ式射出成形機であって、
前記温調液路は、前記回転体に設けられかつ前記支持体側に開口する開口部を有する回転体側液路と、前記支持体に設けられかつ前記回転体側に開口する開口部を有する一次液路と二次液路とを備え、
前記一次液路と前記二次液路の開口部は、前記回転体側液路の開口部が回転する円周上に位置し、
前記支持体と前記回転体の一つには、前記円周上に所定の長さで円弧状に延出しかつ前記一次液路、前記二次液路および前記回転体側液路のいずれか一つの開口部が開口される円弧溝が形成され、前記回転体側液路が前記回転体の回転時に前記円弧溝を介して前記一次液路と前記二次液路の少なくとも一つと連通しつつ回転し、
前記金型は、前記回転体によって第一ステージと第二ステージに移動し、
前記回転体側液路は、前記金型が前記第一ステージに位置する時に前記一次液路と連通し、前記金型が前記第一ステージから前記第二ステージに向けて移動する途中において前記一次液路と遮断されかつ前記円弧溝を介して前記二次液路と連通し、前記第二ステージに到達する前から前記第二ステージに到達するまで前記円弧溝を介して前記二次液路と連通する構成になっていることを特徴とするロータリ式射出成形機。
【請求項２】
請求項１に記載のロータリ式射出成形機であって、
円弧溝は、支持体に形成されかつ一次液路の開口部が開口する第一の円弧溝と、前記支持体に形成され二次液路の開口部が開口しかつ前記第一の円弧溝と同一の円周上に円弧状に延出する第二の円弧溝とを有し、
回転体側液路は、回転体の回転時に前記第一の円弧溝を介して前記一次液路と連通しつつ回転し、続いて前記第二の円弧溝を介して前記二次液路と連通しつつ回転することを特徴とするロータリ式射出成形機。
【請求項３】
請求項２に記載のロータリ式射出成形機であって、
支持体は、回転体の回転テーブルの下面を回転可能に支持する支持テーブルを有し、
第一と第二の円弧溝は、前記支持テーブルの上面に形成され、
回転体側液路は、前記回転テーブルの下面に開口する開口部を有していることを特徴とするロータリ式射出成形機。
【請求項４】
請求項２または３に記載のロータリ式射出成形機であって、
一次液路側に一次温調液を流し、二次液路側に一次温調液よりも温度が低い二次温調液を流し、第二の円弧溝の円弧長さを第一の円弧溝の円弧長さよりも長く設定し、回転体が回転する際に、回転体側液路が前記第一の円弧溝に連通し続いて前記第二の円弧溝に連通することを特徴とするロータリ式射出成形機。
【発明の詳細な説明】
【技術分野】
【０００１】
本発明は、金型を回転させて複数のステージにおいて射出成形を行うロータリ式射出成形機に関する。とりわけ金型を温調液によって温度調整しつつステージ毎で射出成形を行うロータリ式射出成形機に関する。
【背景技術】
【０００２】
金型を温調液によって温度調整しつつ射出成形を行うロータリ式射出成形機が従来知られている（例えば特許文献１〜３）。これら成形機は、中心軸と、その中心軸周りに回転する回転テーブルと、回転テーブルに設けられた金型を有している。そして回転テーブルと中心軸に渡って温調液路が形成されており、温調装置から供給された温調液が温調液路内を流れて金型を温度調整する。回転テーブルの回転に連動して、金型への温調液を切り替える構造も従来知られている（例えば特許文献１）。この構造は、中心軸に形成された複数の縦液路と、回転テーブルに形成された複数の横液路を有し、縦液路と横液路は、中心軸と回転テーブルが摺動する面に開口する開口部を有している。横液路の開口部は、回転テーブルとともに回転してステージ毎に一つの縦液路の開口部と位置が一致する。その結果、横液路は、ステージ毎に一つの縦液路と連通し、異なる温度に調整された温調液が金型側に供給される。
【特許文献１】実開平４−７１１４号公報
【特許文献２】特開平１１−１０５０６０号公報
【特許文献３】特開２００６−３４７０１５号公報
【発明の開示】
【発明が解決しようとする課題】
【０００３】
しかし金型は、ステージに移動した後に所望温度の温調液が供給され始める。そのため金型を所望の温度にするためには、ステージに移動した後さらに所定の時間を要する。そこで本発明は、従来の成形機よりも金型の温度を早く所望の温度にすることによって、生産性と成形品の品質を向上させ得るロータリ式射出成形機を提供することを目的とする。例えば一次成形の際に金型温度を高くすることで一次材の流れを良くして一次材の充填不足を防止して成形品の品質を向上させる。そして二次成形の際には、金型温度を早く低くすることで一次材を所定の形状に保ちつつ、二次材を成形することで品質を向上させ得るロータリ式射出成形機を提供することを目的とする。
【課題を解決するための手段】
【０００４】
前記課題を解決するために本発明は、各請求項に記載の通りの構成を備えるロータリ式射出成形機であることを特徴とする。すなわち請求項１に記載の発明によると、回転体と支持体と温調液路を有するロータリ式射出成形機であって、温調液路は、回転体に設けられかつ支持体側に開口する開口部を有する回転体側液路と、支持体に設けられかつ回転体側に開口する開口部を有する一次液路と二次液路とを備えている。一次液路と二次液路の開口部は、回転体側液路の開口部が回転する円周上に位置している。支持体と回転体の一つには、前記円周上に所定の長さで円弧状に延出しかつ一次液路、二次液路および回転体側液路のいずれか一つの開口部が開口される円弧溝が形成され、回転体側液路が回転体の回転時に円弧溝を介して一次液路と二次液路の少なくとも一つと連通しつつ回転する。金型は、回転体によって第一ステージと第二ステージに移動する。回転体側液路は、金型が第一ステージに位置する時に一次液路と連通し、金型が第一ステージから第二ステージに向けて移動する途中において一次液路と遮断されかつ円弧溝を介して二次液路と連通し、第二ステージに到達する前から第二ステージに到達するまで円弧溝を介して二次液路と連通する構成になっている。
【０００５】
したがって回転体の回転途中において回転体側液路が円弧溝を介して一次液路もしくは二次液路と連通する。そのため温調液が金型の回転途中において金型側に流れ始め、回転途中において金型が温調液によって温度調整され始める。その結果、金型の温度は、従来のものよりも早く調整され、これにより生産性と製品の品質が向上する。また従来の成形機は、回転体側液路の開口部と支持体側の液路の開口部とをピンポイントで一致させる必要があるために製造容易でない構成になっていた（特許文献１参照）。これに対して本発明は、円弧状に延出する円弧溝を有しているために連通位置が長いため、従来のものに比べて製造容易な構成になっている。
【０００６】
請求項２に記載の発明によると、円弧溝は、支持体に形成されかつ一次液路の開口部が開口する第一の円弧溝と、支持体に形成され二次液路の開口部が開口しかつ第一の円弧溝と同一の円周上に円弧状に延出する第二の円弧溝とを有している。そして回転体側液路は、回転体の回転時に第一の円弧溝を介して一次液路と連通しつつ回転し、続いて第二の円弧溝を介して二次液路と連通しつつ回転する。したがって回転体が回転すると、回転体側液路に流れる温調液は、回転途中において一次液路側の温調液から二次液路側の温調液路に変わる。一方、回転体が逆転した場合には、逆転途中において二次液路側の温調液から一次液路側の温調液に変わる。そのため金型が二つのステージ間で回転すると、各ステージに到達する前から温度が調整され始める。
【０００７】
請求項３に記載の発明によると、支持体は、回転体の回転テーブルの下面を回転可能に支持する支持テーブルを有している。第一と第二の円弧溝は、支持テーブルの上面に形成され、回転体側液路は、回転テーブルの下面に開口する開口部を有している。したがって支持テーブルと回転テーブルによってスイベルが構成される。そしてこのスイベルは、比較的径を大きくすることができ、例えば従来のように中心軸周りに回転体が回転する形態における中心軸に比べて径を大きくすることができる。そのため支持テーブルの上面に円弧溝を形成しやすい。
【０００８】
請求項４に記載の発明によると、一次液路側に一次温調液を流し、二次液路側に一次温調液よりも温度が低い二次温調液を流し、第二の円弧溝の円弧長さを第一の円弧溝の円弧長さよりも長く設定し、回転体が回転する際に、回転体側液路が第一の円弧溝に連通し続いて第二の円弧溝に連通する。したがって金型は、例えば一次ステージから二次ステージに回転する場合、一次ステージにおいて一次温調液によって温度が高くなる。そして一次ステージにおける一次材の充填不足が抑制されて金型転写性が向上する。一次ステージから二次ステージに金型が回転する際には、その回転途中において比較的早い段階で二次温調液によって金型が冷却し始める。そのため二次ステージにおいて、一次材が冷えて固まり二次材の射出時に一次材がだれる量が少なくなる。これにより製品の品質が向上する。
【発明を実施するための最良の形態】
【０００９】
（実施の形態１）
実施の形態１を図１〜４にしたがって説明する。図１に示すように成形機１は、竪型のロータリ式射出成形機であって、一次金型５ａと、二次金型５ｂと、これらの間に設けられる回転体２と、回転体２を回動可能に支持する支持体３を有している。回転体２は、円盤状の回転テーブル２ｄと、回転テーブル２ｄの中央に立設された中心軸２ｃを有しており、中心軸２ｃにキャビティを有する回転金型２ａ，２ｂが装着される。
【００１０】
支持体３は、図１，２に示すように円盤状の支持テーブル３ａを有している。支持テーブル３ａは、回転テーブル２ｄの下側に配設されて回転テーブル２ｄを回転可能に支持する。そのため支持テーブル３ａと回転テーブル２ｄとによってスイベルが構成される。成形機本体６は、基台部６ａを有し、基台部６ａに二次金型５ｂが取付けられる。基台部６ａには、支持テーブル３ａとスライド台６ｂが移動可能に取付けられており、スライド台６ｂに一次金型５ａが取付けられる。
【００１１】
図１に示すように支持体３と回転体２には、これらに跨って温調液路が形成されており、温調液路に温調液が流れることで回転金型２ａ，２ｂの温度が調整され得る。温調液路は、回転体２側の回転体側液路２ｅ，２ｆと、支持体３側の一次液路３ｂ，３ｃと二次液路３ｄ，３ｅを有している。回転体側液路２ｅ，２ｆは、回転金型２ａ，２ｂ内に形成されており、回転テーブル２ｄの下面に開口する開口部２ｅ１，２ｅ２，２ｆ１，２ｆ２を両端部に有している。一次液路３ｂ，３ｃと二次液路３ｄ，３ｅは、支持テーブル３ａの上面に開口する開口部３ｂ１，３ｃ１，３ｄ１，３ｅ１を一端に有し、他端部が温調装置４に接続される。
【００１２】
温調装置４は、水、オイルなどの温調液を一次貯蓄部と二次貯蓄部に蓄積し、これら温調液をヒータなどによって所定の温度に調整する。一次貯蓄部に貯蓄された温調液は、温調装置４のポンプによって一次液路３ｂに排出され、例えば回転体側液路２ｅと一次液路３ｃを介して一次貯蓄部に戻る。二次貯蓄部に貯蓄された温調液は、ポンプによって二次液路３ｅに排出され、例えば回転体側液路２ｆと二次液路３ｄを介して二次貯蓄部に戻る。
【００１３】
図１，３に示すように支持テーブル３ａの上面には、円弧溝３ｆ〜３ｉが形成されている。円弧溝３ｆ，３ｉは、回転体２の回転中心１０を中心とする円周１１の上に位置しており、略半周の長さを有し、スペースを有した状態で隣接している。同様に、円弧溝３ｇ，３ｈは、回転中心１０を中心とする円周１２の上に位置しており、略半周の長さを有し、スペースを有した状態で隣接している。円弧溝３ｆ〜３ｉの略中央には、開口部３ｂ１，３ｃ１，３ｄ１，３ｅ１が開口している。
【００１４】
図４に示すように開口部２ｅ１，２ｆ１は、円周１１上に位置しており、開口部２ｅ２，２ｆ２は、円周１２上に位置している。したがって図３，４に示すように回転体２が矢印Ａ方向に回転することで、開口部２ｅ１が円弧溝３ｆに開口しつつ回転し、続いて円弧溝３ｉに開口しつつ回転する。同様に、開口部２ｅ２が円弧溝３ｇと円弧溝３ｈに開口しつつ回転し、開口部２ｆ２が円弧溝３ｉと円弧溝３ｆに開口しつつ回転し、開口部２ｆ２が円弧溝３ｈと円弧溝３ｇに開口しつつ回転する。矢印Ｂ方向へ回転（逆転）した際には、その逆の動作が現れる。
【００１５】
成形機１によって成形品を製造する場合は、先ず、図示省略の油圧装置によってスライド台６ｂと支持体３を二次金型５ｂに向けて近接させる（アコーディオン式）。これにより図１，２に示すように一次ステージ１ａにおいて一次金型５ａと回転金型２ａとの間で型閉めがなされ、二次ステージ１ｂにおいて二次金型５ｂと回転金型２ｂとの間で型閉めがなされる。そして一次ユニット７ａによって一次金型５ａ側に一次材が射出され、二次ユニット７ｂによって二次金型５ｂ側に二次材が射出される。
【００１６】
この時、温調装置４からは、温度の高い、例えば１００℃以上の一次温調液が一次液路３ｂと円弧溝３ｆと回転体側液路２ｅを介して回転金型２ａ内を流れる。これにより回転金型２ａが高い温度に調整された状態で回転金型２ａに一次材が射出される。そして一次温調液は、円弧溝３ｇと一次液路３ｃを介して温調装置４に戻る。一方、回転金型２ｂには、温調装置４から温度の低い、例えば８０℃以下の二次温調液が二次液路３ｅと円弧溝３ｉと回転体側液路２ｆを介して供給される。これにより回転金型２ｂが低い温度に調整され、その状態にて二次材が射出される。そして二次温調液は、円弧溝３ｈと二次液路３ｄを介して温調装置４に戻る。
【００１７】
次に、油圧装置によって一次金型５ａと回転金型２ａ，２ｂを二次金型５ｂから離間させる。これにより一次ステージ１ａと二次ステージ１ｂにおいて型開きが行われる。続いて型開き状態において図示省略の回転装置によって回転体２を支持体３に対して回転（正転）させる（図４の矢印Ａ方向）。これにより回転金型２ａは、一次ステージ１ａから二次ステージ１ｂに回転し、回転金型２ｂは、二次ステージ１ｂから一次ステージ１ａに回転する。
【００１８】
回転体２が回転する際、回転体側液路２ｅは、円弧溝３ｆ，３ｇを介して一次液路３ｂ，３ｃと連通しつつ回転し、続いて円弧溝３ｈ，３ｉを介して二次液路３ｄ，３ｅと連通しつつ回転する。そのため回転の途中において回転体側液路２ｅに二次温調液が流れ始め、回転金型２ａが冷却され始める。一方、回転体側液路２ｆは、円弧溝３ｈ，３ｉを介して二次液路３ｄ，３ｅと連通しつつ回転し、続いて円弧溝３ｆ，３ｇを介して一次液路３ｂ，３ｃと連通しつつ回転する。そのため回転の途中において回転体側液路２ｆに一次温調液が流れ始め、回転金型２ａが温められ始める。その後、型締めされて、一次ステージ１ａと二次ステージ１ｂにおいて射出成形がなされる。そして型開きした後に、二次ステージ１ｂの成形品を取出し機によって金型から取出す。
【００１９】
次に回転体２は、図４の矢印Ｂ方向に回転（逆転）し、成形機１によって射出成形がなされる。また成形機１は、回転金型２ａ，２ｂが反転する対向反転型の成形機であって、二色成形を行うのに適している。成形品としては、透明または半透明の一次材から成形される光透過板部と、一次材よりも融点が低く光透過板の周りに形成されて他の部材に取付けられる取付部とを一体に有する樹脂製品が成形され得る。この一次材としては、例えばポリカーボネイト、アクリルを使用することでき、二次材としては、ＰＥＴ、ポリカーボネイト混合物などを使用することできる。そして樹脂製品として自動車部品、例えばパノラマルーフやリアウィンドゥなどが成形され得る。
【００２０】
以上のように温調液路は、回転体側液路２ｅ，２ｆと一次液路３ｂ，３ｃと二次液路３ｄ，３ｅを備えている（図１参照）。一次液路３ｂ，３ｃと二次液路３ｄ，３ｅの開口部３ｂ１，３ｃ１，３ｄ１，３ｅ１は、図３，４に示すように回転体側液路２ｅ，２ｆの開口部２ｅ１，２ｅ２，２ｆ１，２ｆ２が回転する円周１１，１２上に位置している。支持体３には、円周１１，１２上に所定の長さで円弧状に延出しかつ一次液路３ｂ，３ｃと二次液路３ｄ，３ｅのいずれか一つの開口部３ｂ１，３ｃ１，３ｄ１，３ｅ１が開口される円弧溝３ｆ〜３ｉが形成され、回転体側液路２ｅ，２ｆが回転体２の回転時に円弧溝３ｆ〜３ｉを介して一次液路３ｂ，３ｃと二次液路３ｄ，３ｅの一つと連通しつつ回転する。
【００２１】
したがって回転体２の回転途中において回転体側液路２ｅ，２ｆが円弧溝３ｆ〜３ｉを介して一次液路３ｂ，３ｃもしくは二次液路３ｄ，３ｅと連通する。そのため温調液が回転金型２ａ，２ｂの回転途中において回転金型２ａ，２ｂ側に流れ始め、回転途中において回転金型２ａ，２ｂが温調液によって温度調整され始める。その結果、回転金型２ａ，２ｂの温度は、従来のものよりも早く調整され、これにより生産性と製品の品質が向上する。また従来の成形機は、回転体側液路の開口部と支持体側の液路の開口部とをピンポイントで一致させる必要があるために製造容易でない構成になっていた（特許文献１参照）。これに対して本形態は、円弧状に延出する円弧溝３ｆ〜３ｉを有しているために連通位置が長く、従来のものに比べて製造容易な構成になっている。
【００２２】
また円弧溝３ｆ〜３ｉは、図１，３に示すように一次液路３ｂ，３ｃの開口部３ｂ１，３ｃ１が開口する第一の円弧溝３ｆ，３ｇと、二次液路３ｄ，３ｅの開口部３ｄ１，３ｅ１が開口する第二の円弧溝３ｈ，３ｉとを有している。そして回転体側液路２ｅ，２ｆは、回転体２の回転時に第一の円弧溝３ｆ，３ｇを介して一次液路３ｂ，３ｃと連通しつつ回転し、続いて第二の円弧溝３ｈ，３ｉを介して二次液路３ｄ，３ｅと連通しつつ回転する。したがって回転体２が回転すると、回転体側液路２ｅ，２ｆに流れる温調液は、回転途中において一次液路３ｂ，３ｃ側の温調液から二次液路３ｄ，３ｅ側の温調液路に変わる。一方、回転体２が逆転した場合には、逆転途中において二次液路３ｄ，３ｅ側の温調液から一次液路３ｂ，３ｃ側の温調液に変わる。そのため回転金型２ａ，２ｂが二つのステージ１ａ，１ｂ間で回転すると、各ステージに到達する前から温度が調整され始める。
【００２３】
また回転体２は、図１，３に示すように支持体３の支持テーブル３ａの上面で回転する回転テーブル２ｄを有している。第一と第二の円弧溝３ｆ〜３ｉは、支持テーブル３ａの上面に形成され、回転体側液路２ｅ，２ｆは、回転テーブル２ｄの下面に開口する開口部２ｅ１，２ｅ２，２ｆ１，２ｆ２を有している。したがって支持テーブル３ａと回転テーブル２ｄによってスイベルが構成される。そしてこのスイベルは、比較的径を大きくすることができ、例えば従来のように中心軸周りに回転体が回転する形態における中心軸に比べて径を大きくすることができる。そのため支持テーブル３ａの上面に円弧溝３ｆ〜３ｉを形成しやすい。
【００２４】
（実施の形態２）
実施の形態２を図５にしたがって説明する。実施の形態２は、実施の形態１とほぼ同様に形成されているが、図３に示す円弧溝３ｆ〜３ｉに代えて、図５に示す円弧溝３ｊ〜３ｍを有している点で相違している。以下、相違点を中心に実施の形態２について説明する。
【００２５】
円弧溝３ｊ，３ｍは、図５に示すように円周１１の上に位置しており、円周１１に沿って延出している。円弧溝３ｋ，３ｌは、円周１２の上に位置しており、円周１２に沿って延出している。第一の円弧溝３ｊ，３ｋは、例えば円弧中心角が１０〜３０°であって円弧長さが短い。第二の円弧溝３ｌ，３ｍは、第一の円弧溝３ｊ，３ｋとスペースを有した状態で隣接し、例えば円弧中心角が２５０°以上であって第一の円弧溝３ｊ，３ｋよりも円弧長さが長い。そして円弧溝３ｊ〜３ｍの中央に一次液路３ｂ，３ｃと二次液路３ｄ，３ｅの開口部３ｂ１，３ｃ１，３ｄ１，３ｅ１の一つが開口している。
【００２６】
一次液路３ｂ，３ｃ側に一次温調液が供給され、二次液路３ｄ，３ｅ側に二次温調液が供給される。そして回転体２が回転すると（図１，４，５参照）、回転体側液路２ｅ，２ｆが第一の円弧溝３ｊ，３ｋに連通しつつ回転し、続いて第二の円弧溝３ｌ，３ｍに連通しつつ回転する。したがって回転金型２ａ，２ｂは、一次ステージ１ａから二次ステージ１ｂに回転し、一次ステージ１ａにおいて一次温調液によって温度が高くなる。そのため一次ステージ１ａにおける一次材の充填不足が抑制され、金型転写性が向上する。一次ステージ１ａから二次ステージ１ｂに回転金型２ａ，２ｂが回転する際には、その回転途中において比較的早い段階で二次温調液によって回転金型２ａ，２ｂが冷却し始める。そのため二次ステージ１ｂにおいて一次材が冷えて固まり二次材の射出時に一次材がだれる量が少なくなる。これにより製品の品質が向上する。
【００２７】
（実施の形態３）
実施の形態３を図６〜８にしたがって説明する。実施の形態３は、実施の形態１とほぼ同様に形成されているが、図１に示す回転体２が垂直軸（回転中心１０）周りに回転するのに対して図６に示す回転体２２は、水平軸（回転中心１３）周りに回転する。以下、相違点を中心に実施の形態３について説明する。
【００２８】
実施の形態３に係る成形機２１は、回転金型２２ａ，２２ｂを有する回転体２２と、回転体２２を回動可能に支持する支持体２３と、一次金型２５ａと、二次金型２５ｂを有している。回転体２２は、円盤状の回転テーブル２２ｄを有しており、回転テーブル２２ｄは、地面に対して立設されている。そして回転テーブル２２ｄの一側面に回転金型２２ａ，２２ｂが装着されている。
【００２９】
支持体２３は、図６に示すように地面に対して立設された円盤状の支持テーブル２３ａを有している。支持テーブル２３ａは、回転テーブル２２ｄに対面し、回転テーブル２２ｄを水平軸である回転中心１３に回動可能に支持する。したがって支持テーブル２３ａと回転テーブル２２ｄによってスイベルが構成される。成形機本体２６は、基台部２６ａと、基台部２６ａに対して移動可能に設けられたスライド台２６ｂを有し、スライド台２６ｂに一次金型２５ａと二次金型２５ｂが取付けられる。スライド台２６ｂは、図示省略の油圧装置によって基台部２６ａに対してスライドして、一次金型２５ａと二次金型２５ｂの両金型において型締めと型開きをなす。
【００３０】
図６に示すように支持体２３と回転体２２に跨って温調液用の温調液路が形成されている。温調液路は、回転体側液路２２ｅ，２２ｆと、一次液路２３ｂ，２３ｃと、二次液路２３ｄ，２３ｅと、円弧溝２３ｆ〜２３ｉを有している。図７に示すように円弧溝２３ｆ〜２３ｉは、支持テーブル２３ａの表面に形成されている。円弧溝２３ｆ、２３ｉは、回転体２２の回転中心１３を中心とする円周１４上に円弧状に延出し、略半周の長さを有し、スペースを有した状態で隣接している。同様に、円弧溝２３ｇ，２３ｈは、回転中心１３を中心とする円周１５上に円弧状に延出し、略半周の長さを有し、スペースを有した状態で隣接している。円弧溝２３ｆ〜２３ｉの略中央には、一次液路２３ｂ，２３ｃと二次液路２３ｄ，２３ｅの開口部２３ｂ１，２３ｃ１，２３ｄ１，２３ｅ１の一つが開口している。
【００３１】
図６，８に示すように回転体側液路２２ｅ，２２ｆは、回転テーブル２２ｄに開口する開口部２２ｅ１，２２ｅ２，２２ｆ１，２２ｆ２を有している。開口部２２ｅ１，２２ｆ１は、円周１４の上に位置しており、開口部２２ｅ２，２２ｆ２は、円周１５上に位置している。したがって回転体２２が図８の矢印方向に回転することで、回転金型２２ａ，２２ｂには、回転途中において一次温調液から二次温調液が流れ始める。あるいは二次温調液から一次温調液が流れ始める。
【００３２】
（実施の形態４）
実施の形態４を図９，１０にしたがって説明する。実施の形態４は、実施の形態１とほぼ同様に形成されているが、図１に示す回転体２と支持体３に代えて図９に示す回転体３２と支持体３３を有している。以下、相違点を中心に実施の形態４について説明する。
【００３３】
図９に示すように支持体３３は、円柱状の中心軸３３ａを有している。回転体３２は、中心軸３３ａの周りを回転する円筒状の回転ベース３２ｄと、回転ベース３２ｄに取付けられた回転金型３２ａ，３２ｂを有している。図９，１０に示すように支持体３３と回転体３２に跨って温調液路が形成されており、温調液路は、回転体側液路３２ｅ，３２ｆと、一次液路３３ｂ，３３ｃと、二次液路３３ｄ，３３ｅを有している。
【００３４】
回転体側液路３２ｅ，３２ｆは、回転ベース３２ｄと回転金型３２ａ，３２ｂ内に設けられ、回転ベース３２ｄの内周面に開口する開口部を有している。一次液路３３ｂ，３３ｃと二次液路３３ｄ，３３ｅは、中心軸３３ａを軸方向に延出しており、中心軸３３ａの外周面に貫通する開口部を一端部に有し、他端部が温調装置側と接続される。中心軸３３ａの外周面には、円弧溝３３ｆ〜３３ｉが形成されている。円弧溝３３ｆ，３３ｉは、回転体３２の外周面に（回転中心１６を中心とする円に）沿って円弧状に延出し、スペースを有した状態で隣接している。同様に、円弧溝３３ｇ，３３ｈは、回転体３２の外周面に沿って円弧状に延出し、スペースを有した状態で隣接している。
【００３５】
円弧溝３３ｆ〜３３ｉには、一次液路３３ｂ，３３ｃと二次液路３３ｄ，３３ｅの開口部が開口している。そして回転体３２が回転すると、回転体側液路３２ｅ，３２ｆは、円弧溝３３ｆ〜３３ｉを介して一次液路３３ｂ，３３ｃと二次液路３３ｄ，３３ｅのいずれか一つと連通しつつ回転する。そのため回転途中において回転金型３２ａ，３２ｂに一次温調液または二次温調液が流れ始める。
【００３６】
（他の実施の形態）
本発明は、実施の形態１〜４に限定されず、以下の形態等であってもよい。
（１）例えば実施の形態１〜４は、一次金型と二次金型と二つの回転金型を有する二色成形機であった。しかし三色以上の複数色成形機であって、三次以上の金型と三つ以上の金型を有している形態であっても良い。
（２）実施の形態１〜４は、同一円の上に二つの円弧溝が隣接して形成されていた。しかし同一円の上に一つの円弧溝のみを有している形態であっても良い。この場合でも一つのステージ側での温度調整を早く開始することができる。
（３）実施の形態１〜４は、支持体側に円弧溝を有していた。しかし回転体側に円弧溝が形成されていても良い。例えば図３，７に示す円弧溝に代えて図４，８に示す支持テーブルの下面に円弧溝が形成されていても良い。あるいは図１０に示す円弧溝に代えて回転ベースの内周面に円弧溝が形成されていても良い。
【図面の簡単な説明】
【００３７】
【図１】ロータリ式射出成形機の正面概略図である。
【図２】型締め時のロータリ式射出成形機の正面概略図である。
【図３】図１の一部III―III線断面矢視図である。
【図４】図１の一部IV―IV線断面矢視図である。
【図５】実施の形態２の図３に相当する図である。
【図６】実施の形態３のロータリ式射出成形機の正面概略図である。
【図７】図６の一部VII―VII線断面矢視図である。
【図８】図６の一部VIII―VIII線断面矢視図である。
【図９】実施の形態４の回転体と支持体の断面図である。
【図１０】図９のX―X線断面矢視図である。
【符号の説明】
【００３８】
１，２１…成形機
１ａ…一次ステージ
１ｂ…二次ステージ
２，２２，３２…回転体
２ａ，２ｂ，２２ａ，２２ｂ，３２ａ，３２ｂ…回転金型
２ｃ，３３ａ…中心軸
２ｄ，２２ｄ…回転テーブル
２ｅ，２ｆ，２２ｅ，２２ｆ，３２ｅ，３２ｆ…回転体側液路
２ｅ１，２ｅ２，２ｆ１，２ｆ２，３ｂ１，３ｃ１，３ｄ１，３ｅ１，２２ｅ１，２２ｅ２，２２ｆ１，２２ｆ２，２３ｂ１，２３ｃ１，２３ｄ１，２３ｅ１…開口部
３，２３，３３…支持体
３ａ，２３ａ…支持テーブル
３ｂ，３ｃ，２３ｂ，２３ｃ，３３ｂ，３３ｃ…一次液路
３ｄ，３ｅ，２３ｄ，２３ｅ，３３ｄ，３３ｅ…二次液路
３ｆ〜３ｉ，３ｊ〜３ｍ，２３ｆ〜２３ｉ，３３ｆ〜３３ｉ…円弧溝
４…温調装置
５ａ，２５ａ…一次金型
５ｂ，２５ｂ…二次金型
６，２６…成形機本体
【図１】
0004992679.tif 000002
【図２】
0004992679.tif 000003
【図３】
0004992679.tif 000004
【図４】
0004992679.tif 000005
【図５】
0004992679.tif 000006
【図６】
0004992679.tif 000007
【図７】
0004992679.tif 000008
【図８】
0004992679.tif 000009
【図９】
0004992679.tif 000010
【図１０】
0004992679.tif 000011